(57)【要約】【課題】表示機能により表示を行っている状態のもとで、書き込み手段（入力用装置）によって表示面に書き込みを行えるようにした表示装置と、この表示装置の書き込み手段となる入力用装置（書き込みペン）とを提供する。【解決手段】複数の画素５３を備えた表示装置である。複数の画素５３の各々は、複数のデータ線５１の一つのデータ線を介して供給されたデータ信号に基づいて表示状態が設定される第１の表示機能と、表示装置の外部からの前記表示装置の表示面への入力信号に基づいて表示状態が設定される第２の表示機能と、を有する。【選択図】図３
2008039915.tif 000002
【特許請求の範囲】
【請求項１】
複数の画素を備えた表示装置であって、
前記複数の画素の各々は、
複数のデータ線の一つのデータ線を介して供給されたデータ信号に基づいて表示状態が設定される第１の表示機能と、
前記表示装置の外部からの前記表示装置の表示面への入力信号に基づいて表示状態が設定される第２の表示機能と、を有すること、
を特徴とする表示装置。
【請求項２】
請求項１に記載の表示装置において、
前記第２の表示機能は、前記入力信号による電磁誘導を利用していること、
を特徴とする表示装置。
【請求項３】
複数の画素を備えた表示装置であって、
前記複数の画素の各々に対応して電磁誘導コイルからなるセンサコイルを含んでいること、
を特徴とする表示装置。
【請求項４】
複数の画素を備えた表示装置であって、
前記複数の画素は、複数の画素群により構成され、
前記複数の画素群の各々に対応して電磁誘導コイルからなるセンサコイルを含んでいること、
を特徴とする表示装置。
【請求項５】
請求項３に記載の表示装置において、
前記複数の画素の各々に対応して、前記センサコイルで発生した誘導電力を整流する整流素子がさらに設けられていること、
を特徴とする表示装置。
【請求項６】
請求項３乃至５のいずれかに記載の表示装置において、
前記センサコイルは、前記表示装置の外部から入力信号の電磁誘導により誘導電力を発生すること、
を特徴とする表示装置。
【請求項７】
請求項３乃至６のいずれかに記載の表示装置において、
さらに、
電磁誘導用アンテナを備え、
前記電磁誘導用アンテナは前記表示装置の外部から入力信号を受信すること、
を特徴とする表示装置。
【請求項８】
請求項３乃至７のいずれかに記載の表示装置において、
前記複数の画素の各々は、
表示素子として電気泳動素子を有していること、
を特徴とする表示装置。
【請求項９】
表示装置に外部から入力するための入力用装置であって、
電源と、
発振器と、
電磁誘導コイルと、有すること、
を特徴とする入力用装置。
【請求項１０】
請求項９に記載の入力用装置において、
前記入力用装置の出力信号によって、
前記表示装置は、電磁誘導により誘導電力を発生すること、
を特徴とする入力用装置。
【請求項１１】
請求項９又は１０に記載の入力用装置において、
前記入力信号の出力信号によって、
前記表示装置に含まれる複数の画素の各々において、電磁誘導により誘導電力が発生すること、
を特徴とする入力用装置。
【請求項１２】
請求項１乃至８のいずれかに記載の表示装置と、
請求項９乃至１１のいずれかに記載の入力用装置と、を備えた表示システム。
【発明の詳細な説明】
【技術分野】
【０００１】
本発明は、書き込み表示機能を有した表示装置と、この表示装置の書き込み手段となる入力用装置（書き込みペン）と、表示システムに関する。
【背景技術】
【０００２】
近年、電気泳動方式などを利用した画像表示媒体が提供されており（例えば、特許文献１参照）、このような画像表示媒体からなる表示装置による電子ペーパー化が提案されている。
【特許文献１】特開２００４−３４７７１９号公報
【発明の開示】
【発明が解決しようとする課題】
【０００３】
一般に表示装置は、表示データが入力され、または予め記憶したデータに基づいて、表示面上に表示をなす表示機能を備えている。
ところで、表示装置を電子ペーパーとして用いる場合、このような表示機能により表示を行っている状態のもとで、その表示に下線やメモを加筆したいとの要望がある。
しかしながら、このような機能を備えた電子ペーパーとしての表示装置は、現状では提供されていない。
【０００４】
本発明は前記事情に鑑みてなされたもので、その目的とするところは、表示機能により表示を行っている状態のもとで、書き込み手段によって表示面に書き込みを行えるようにした表示装置と、この表示装置の書き込み手段となる入力用装置（書き込みペン）と、表示システムとを提供することにある。
【課題を解決するための手段】
【０００５】
前記目的を達成するため本発明に係る表示装置は、複数の画素を備えた表示装置であって、前記複数の画素の各々は、複数のデータ線の一つのデータ線を介して供給されたデータ信号に基づいて表示状態が設定される第１の表示機能と、前記表示装置の外部からの前記表示装置の表示面への入力信号に基づいて表示状態が設定される第２の表示機能と、を有すること、を特徴とする。
上記の表示装置において、通常のアクティブ駆動に加えて一種の表示画面に対するペン入力も可能である。
【０００６】
上記の表示装置において、前記第２の表示機能は、前記入力信号による電磁誘導を利用していてもよい。
これにより、電磁誘導を利用することにより、表示装置の外部からの入力が可能となる。
【０００７】
また、本発明に係る表示装置は、前記複数の画素の各々に対応して電磁誘導コイルからなるセンサコイルを含んでいることを特徴とする。
これにより複数の画素の各々に対して直接的な外部からの入力が可能となる。
上記の表示装置において、前記複数の画素は、複数の画素群により構成され、前記複数の画素群の各々に対応して電磁誘導コイルからなるセンサコイルを含んでいてもよい。
【０００８】
上記の表示装置において、前記複数の画素の各々に対応して、前記センサコイルで発生した誘導電力を整流する整流素子がさらに設けられていてもよい。
上記の表示装置において、前記センサコイルは、前記表示装置の外部から入力信号の電磁誘導により誘導電力を発生するようにしてもよい。
上記の表示装置において、さらに、電磁誘導用アンテナを備え、前記電磁誘導用アンテナは前記表示装置の外部から入力信号を受信するようにしてもよい。
上記の表示装置において、前記複数の画素の各々は、表示素子として電気泳動素子を有していてもよい。
【０００９】
本発明に係る表示装置に外部から入力するための入力用装置は、電源と、発振器と、電磁誘導コイルと、有することを特徴とする。
上記の入力用装置を用いることにより、表示装置等の電子装置の外部からの入力が可能となる。
上記の入力用装置において、前記入力用装置の出力信号によって、前記表示装置は、電磁誘導により誘導電力を発生すること好ましい。
上記の入力用装置において、前記入力用装置の出力信号によって、前記表示装置に含まれる複数の画素の各々において、電磁誘導により誘導電力が発生することが好ましい。
本発明に係る表示システムは、上記の表示装置と上記の入力用装置と、を備えている。
【００１０】
本発明に係る特徴の１つによれば、この表示装置は、書き込み表示機能を有しているので、表示機能で表示を行っている状態で、書き込み手段によって前記表示パネルの表示面に書き込み信号を入力することにより、前記の表示に対して書き込みを行うことが可能になる。
また、前記表示装置においては、前記表示パネルには、各画素毎、あるいは各画素群毎に設けられた電磁誘導コイルからなるセンサコイルと、該センサコイルで得られた誘導電力を整流して前記表示パネルに電圧を印加する整流素子とが備えられ、前記センサコイルは、前記書き込み手段による電磁誘導によって誘導電力を発生するよう構成されているのが好ましい。
このようにすれば、書き込み手段による電磁誘導によってセンサコイルに誘導電力を発生させ、この誘導電力を整流素子により整流して前記表示パネルに電圧を印加することにより、表示状態にある表示面に対して書き込みをなすことが可能になる。
なお、この表示装置においては、前記書き込み手段が、電源と、発振器と、電磁誘導コイルを有してなる出力部とを備えてなるのが好ましい。
このようにすれば、書き込み手段によってその発振器で発振させて電磁誘導コイルから磁束を出力することにより、前記センサコイルに誘導電力を発生させることができる。したがって、この誘導電力により、表示状態にある表示面に対して書き込みを行うことができる。
また、前記表示装置においては、電磁誘導用アンテナを備え、前記表示パネルは、前記電磁誘導用アンテナによって外部から磁気信号を入力することで誘導電力を発生し、この誘導電力によって前記表示機能を発揮させるよう構成されているのが好ましい。
このようにすれば、電磁誘導用アンテナを介して外部からの磁気信号の入力により電力を発生するので、電池等による電源を備える必要がなくなり、したがって装置全体の薄厚化が一層可能になる。よって、電子ペーパーとしてフレキシブル性などを発揮し易くなる。
また、前記表示装置においては、前記表示パネルは、表示素子として電気泳動素子を有して構成されているのが好ましい。
このようにすれば、電気泳動素子は表示の保持性を有しているので、前記表示機能によって電気泳動素子による表示した状態を保持した状態で、前記書き込み手段によって表示状態が保持された表示面に対して書き込みをなすことが可能になる。
本発明の入力用装置の１つの態様として、書き込みペンの形をしていることがこのましい。前記書き込みペンは、電源と、発振器と、電磁誘導コイルを有してなる出力部とを備えて構成されていることを特徴としている。
この書き込みペンによれば、発振器で発振させて電磁誘導コイルから磁束を書き込み信号として出力し、該書き込み信号を前記表示パネルの表示面に入力させることにより、前記書き込み表示機能によって表示をなさせることが可能になる。
【発明を実施するための最良の形態】
【００１１】
以下、本発明を詳しく説明する。
図１は、本発明の表示装置の一実施形態を示す図であり、図１中符号１は表示装置である。この表示装置１は、表示機能を備えてなる表示パネル２を具備し、この表示パネル２に対して書き込みを可能にする書き込み手段（入力用装置）としての書き込みペン３を有したものである。
表示パネル２は、本実施形態では表示素子として電気泳動素子を有して構成されたもので、図２に示すように素子基板４と透明基板５を有し、これら基板４、５間に電気泳動分散液を封入してなるマイクロカプセル６を挟持したものである。
【００１２】
素子基板４は、樹脂等からなるフィルム状で可撓性のフレキシブル基板４ａの内面に、絶縁層等（図示せず）を介してＴＦＴ（薄膜トランジスタ）からなる駆動素子（スイッチング素子）７を多数形成し、さらにこれら駆動素子７にそれぞれ対応して画素電極８を形成したもので、これによってアクティブマトリクス基板として構成されたものである。駆動素子７は、前記の絶縁層等の上に設けられた半導体膜９と、この半導体膜９上にゲート絶縁膜１０を介して設けられたゲート電極１１と、前記半導体９のソース領域（図示せず）に接続するソース電極１２と、前記半導体９のドレイン領域（図示せず）に接続する画素電極（ドレイン電極）８とを有して構成されたものである。
【００１３】
なお、前記ゲート電極１１上には、これを覆って層間絶縁膜１３が形成されており、前記ソース電極１２は、層間絶縁膜１３に形成されたコンタクトホール１４を通って該層間絶縁膜１３上に電気的に引き出され、ここに形成されている。また、層間絶縁膜１３上には中継電極１５が、層間絶縁膜１３に形成されたコンタクトホール１６を通って電気的に引き出され、形成されている。そして、これら中継電極１５、ソース電極１２を覆って層間絶縁膜１７が形成されており、この層間絶縁膜１７上には、画素電極（ドレイン電極）８が、コンタクトホール１８を通って電気的に引き出されたことにより、前記中継電極１５に導通して形成されている。
【００１４】
図３は、表示パネル２の等価回路図であり、図３中において符号７は前記したＴＦＴからなる駆動素子である。この駆動素子７には、そのゲート電極に走査線５０が接続されており、この走査線５０は、ドライバ領域（図示せず）から各ゲート電極に対して走査信号を与えるようになっている。また、駆動素子７のソース電極には、データ線５１が接続されており、このデータ線５１は、ドライバ領域（図示せず）から各ソース電極に対してデータ信号を与えるようになっている。
【００１５】
駆動素子７のドレイン電極（画素電極８）側には、容量素子５２が設けられており、この容量素子５２は、前記マイクロカプセル６中の電気泳動分散液の電気分極状態を保持するようになっている。なお、図３中において符号５３は単一の画素を示しており、この画素５３は、前記駆動素子７のドレイン電極となる画素電極８と、後述する共通電極との間に前記マイクロカプセル６を挟持して構成されたものである。
【００１６】
また、本実施形態では、このような画素５３の画素電極（ドレイン電極）８側に、電磁誘導コイルからなるセンサコイル１９を備えて構成された共振回路２０と、整流回路２１とが設けられている。共振回路２０は、前記センサコイル１９とコンデンサ２２とを備えて構成されたもので、後述する書き込みペン３によってセンサイコイル（電磁誘導コイル）１９が電磁誘導され、誘導電力を発生するよう構成されたものである。本実施形態では、図４にセンサコイル１９を模式的に示すように、共振回路２０は個々の画素５３（画素電極８）に対して１：１でそれぞれに対応して、例えば画素電極８を周回してループ状に形成されたものである。また、例えば図２に示すように、ゲート電極１１と同じ層、すなわちゲート絶縁膜１０上に、このゲート電極１１と同一のプロセスで同じ材料（例えばアルミニウム）により形成されたものである。
【００１７】
ただし、センサコイル１９の形成位置に関しては、ゲート電極１１と同じ層でなく、例えばソース電極１２や中継電極１５と同じ層、すなわち層間絶縁膜１３上に、ソース電極１２等と同一のプロセスで形成するようにしてもよい。また、センサコイル１９を含む共振回路２０に関しては、個々の画素５３（画素電極８）に対して１：１でそれぞれに対応して形成することなく、例えば、縦横二つずつからなる計４個の画素５３を単一の画素群５４として、図４中二点鎖線で示すようにこの画素群５４に対して一つのセンサコイル１９、及びコンデンサ（図示せず）を設けるようにしてもよい。さらに、コンデンサ２２を設けることなく、この共振回路２０に代えて単にセンサコイル１９のみを設けるようにしてもよい。また、センサコイル１９は、１周でなく複数周、周回するように形成してもよい。
【００１８】
図３に示したように整流回路２１は、整流素子（ダイオード）２０ａを備えて構成されたものである。この整流素子２１ａ（整流回路２１）は、前記センサコイル１９で得られた誘導電力を整流し、表示パネル２の画素５３に電圧を印加するためのものである。すなわち、整流素子２０ａ（整流回路２１）は、画素５３の画素電極（ドレイン電極）８側に接続されたことにより、この画素電極８と後述する共通電極との間に電界を形成し、これによって後述するようにマイクロカプセル６中の電気泳動粒子を電気泳動させ、所望の表示をなさせるものである。
【００１９】
図２に示したように透明基板５は、透明樹脂等からなるフィルム状で可撓性の透明フレキシブル基板５ａの内面に、ＩＴＯ等からなる透明の共通電極２３を形成したもので、その外面側を表示面（観測面）とするものである。ここで、この透明フレキシブル基板５ａとしては、例えばポリエチレンテレフタレート（ＰＥＴ）、ポリエーテルスルホン（ＰＥＳ）、ポリカーボネイト（ＰＣ）などが好適に用いられる。
【００２０】
また、表示面側とならない前記フレキシブル基板４ａについては、透明である必要がないことから、前記の材料以外にも、ポリイミド（ＰＩ）、ポリエチレンナフタレート（ＰＥＮ）等のポリエステル、ポリエチレン（ＰＥ）、ポリスチレン（ＰＳ）、ポリプロピレン（ＰＰ）、ポリエーテルエーテルケトン（ＰＥＥＫ）、アクリルあるいはポリアクリレート類等を用いることもできる。
なお、本実施形態では特に基板４ａ、５ａとして可撓性のフレキシブル基板を用いているが、一般のパネルのように表示装置にフレキシブル性（可撓性）が求められない場合には、ガラスや硬質の樹脂、さらには、シリコン等の半導体基板を用いることもできる。
【００２１】
このような構成からなる素子基板４と透明基板５との間には、特に前記の画素電極８上にマイクロカプセル６が配置されており、これによってマイクロカプセル６は、表示パネル２の表示領域を形成している。マイクロカプセル６は、前述したように表示材料としての電気泳動分散液を封入したもので、全てがほぼ同一の直径に形成されたものであり、直径が例えば約３０μｍ程度に形成されたものである。
【００２２】
電気泳動分散液は、電気泳動粒子と、これを分散させる液相分散媒とからなるものである。前記液相分散媒としては、水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独、またはこれらの混合物に界面活性剤等を配合したものを用いることができる。
【００２３】
また、電気泳動粒子は、液相分散媒中で電位差による電気泳動により移動する性質を有する有機あるいは無機の粒子（高分子あるいはコロイド）である。
この電気泳動粒子としては、例えば、アニリンブラック、カーボンブラック、チタンブラック等の黒色顔料、二酸化チタン、亜鉛華、三酸化アンチモン等の白色顔料、モノアゾ、ジイスアゾン、ポリアゾ等のアゾ系顔料、イソインドリノン、黄鉛、黄色酸化鉄、カドミウムイエロー、チタンイエロー、アンチモン等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、アントラキノン系染料、紺青、群青、コバルトブルー等の青色顔料、フタロシアニングリーン等の緑色顔料等の１種又は２種以上を用いることができる。
【００２４】
さらに、これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
マイクロカプセル６の壁膜を形成する材料としては、アラビアゴム・ゼラチンの複合膜、ウレタン樹脂、ウレア樹脂、尿素樹脂などの化合物が使用できる。
【００２５】
なお、本例の表示装置１においては、前記マイクロカプセル６に電気泳動粒子が二種類封入されており、一方が負に、他方が正に帯電している。これら二種類の電気泳動粒子としては、例えば白色顔料である二酸化チタンと、黒色顔料であるカーボンブラックが用いられる。そして、このような白色、黒色の二種類の電気泳動粒子を用いることにより、例えば文字等の表示をなす場合に、黒色の電気泳動粒子によって文字等を表示し、白色の電気泳動粒子によってその背景を表示することができる。
また、電気泳動粒子を一種類のみ用い、これを共通電極２３側、あるいは画素電極８側に泳動させることで、表示をなすようにしてもよい。
【００２６】
また、これらマイクロカプセル６は、例えば透明基板５に対して、その共通電極２３上にてバインダ２４により固定されている。このバインダ２４としては、マイクロカプセル６の壁膜に対する親和性が良好で、共通電極２３に対する密着性に優れ、かつ絶縁性を有するものが使用可能である。例えば、ポリエチレン、塩素化ポリエチレン、エチレン−酢酸ビニル共重合体、エチレン−アクリル酸エチル共重合体、ポリプロピレン、ＡＢＳ樹脂、メタクリル酸メチル樹脂、塩化ビニル樹脂、塩化ビニル−酢酸ビニル共重合体、塩化ビニル−塩化ビニリデン共重合体、塩化ビニルアクリル酸エステル共重合体、塩化ビニル−メタクリル酸共重合体、塩化ビニル−アクリロニトリル共重合体、エチレン−ビニルアルコール−塩化ビニル共重合体、プロピレン−塩化ビニル共重合体、塩化ビニリデン樹脂、酢酸ビニル樹脂、ポリビニルアルコール、ポリビニルホルマール、セルロース系樹脂等の熱可塑性樹脂、ポリアミド系樹脂、ポリアセタール、ポリカーボネート、ポリエチレンテレフタレート、ポリブチレンテレフタレート、ポリフェニレンオキサイド、ポリスルホン、ポリアミドイミド、ポリアミノビスマレイミド、ポリエーテルスルホン、ポリフェニレンスルホン、ポリアリレート、グラフト化ポリフィニレンエーテル、ポリエーテルエーテルケトン、ポリエーテルイミド等の高分子、ポリ四フッ化エチレン、ポリフッ化エチレンプロピレン、四フッ化エチレン−パーフロロアルコキシエチレン共重合体、エチレン−四フッ化エチレン共重合体、ポリフッ化ビニリデン、ポリ三フッ化塩化エチレン、フッ素ゴム等のフッ素系樹脂、シリコーン樹脂、シリコーンゴム等の珪素樹脂、その他として、メタクリル酸−スチレン共重合体、ポリブチレン、メタクリル酸メチル‐ブタジエン−スチレン共重合体等を用いることができる。
【００２７】
一方、これらマイクロカプセル６は、素子基板４に対して、その画素電極８上にて例えば両面接着シート２５により固定されている。この両面接着シート２５は、厚さが約２５μｍ程度に形成されたゴム系やアクリル系などの粘着性を有するもので、素子基板４の画素電極８上に固着され、かつマイクロカプセル６に固着することにより、マイクロカプセル６を素子基板４上に保持固定している。なお、このような両面接着シート２５を用いることなく、この素子基板４側についても、前記のバインダ２４を用いて接着するようにしてもよい。
このような構成によってマイクロカプセル６は、素子基板４と透明基板５との間に挟着され、表示パネル２を構成している。
【００２８】
また、この表示装置１には、前記した走査線やデータ線に駆動信号を供給するための制御部（図示せず）が設けられており、この制御部に表示データが入力され、あるいは予めメモリ（図示せず）に記憶された表示データに基づき、表示を行うようになっている。すなわち、一般の表示装置が備える通常の表示機能を有したものとなっているのである。
ここで、この表示装置１による表示方法について説明すると、この表示装置１は、画素電極８と共通電極２３との間に印加する電圧（電界）の方向を変えることにより、マイクロカプセル６中の電気泳動粒子を所望の電極側に集め、これにより所望の表示を行うようになっている。
【００２９】
つまり、電気泳動粒子として例えば前記したように白色と黒色の二種類のものを用い、一方の粒子、例えば白色の粒子を負に帯電させ、他方の粒子となる黒色の粒子を正に帯電させておく。そして、表示を行うとき、所望の画素電極８に対して信号を入力することで、表示面となる透明基板５側（共通電極２３側）が、画素電極８側に対して相対的に負になるように電界をかける（電圧を印加する）。すると、黒色の粒子が透明基板５側に、また白色粒子が素子基板４側にそれぞれ泳動する。したがって、文字等の実質的な表示をなす部分が黒色の粒子によって透明基板５側に表示され、その背景となる部分が白色の粒子によって透明基板５側に表示されることにより、所望の表示がなされる。
【００３０】
なお、このような電気泳動粒子を分散させた電気泳動分散液を有してなる電気泳動素子は、表示の保持性を有している。すなわち、一旦所望の表示を行うと、その後電源を切って前記画素電極８と共通電極２３との間に印加される電圧をゼロにしても、電気泳動粒子はそのままの状態に保持され、したがって電源が入っていたときの表示状態がそのままに保持される。また、再度電源を入れ、新たに表示データを入力することにより、保持していた表示をキャンセルして新規な表示を行うことができる。
【００３１】
また、この表示装置１においては、電源として例えば電池などを有していてもよいが、これと共に、あるいはこれに代えて、図１に示すように表示パネル２の周辺部に、電磁誘導用アンテナ６０を備えていてもよい。この電磁誘導用アンテナ６０は、ＲＦＩＤ（Radio Frequency Identification）システム用のアンテナであって、電力受信用アンテナとして機能し、さらに、必要に応じてデータ受信用のアンテナとしても機能するものである。
【００３２】
すなわち、この電磁誘導用アンテナ６０は、例えば別に用意されたリードライタから磁気信号が入力されると、電磁誘導によって誘導電力を発生し、これによって表示装置１の電源として機能するものとなっている。また、データ受信用のアンテナとしても機能する場合、リードライタから磁気信号が入力され、データとしての誘導電力を発生すると、これを前記の制御部、あるいはメモリに入力し、前記表示パネル２は、この入力信号に基づいて表示を行うようになっている。
【００３３】
また、この表示装置１における前記書き込みペン３は、前述したように表示パネル２に対して書き込みを可能にする書き込み手段として機能するもので、前記した通常の表示機能とは別の、書き込み表示機能を発揮させるためのものである。この書き込みペン３は、図５（ａ）の概略構成図、図５（ｂ）の回路図に示すように、ケース７０内に、電池等からなる電源７１と、この電源に接続された発振器（オシロレータ）７２と、この発振器７２に接続されたコンデンサ７３及び電磁誘導コイル７４と、電磁誘導コイル７４内に挿通した鉄芯７５とを備えてなる出力部７６を有して構成されたものである。
【００３４】
このような構成からなる書き込みペン３は、発振器７２から例えば１３．５６ＭＨｚで発振された電気信号を電磁誘導コイル７４で電磁誘導し、磁界を発生させることでその磁気信号（磁束）を鉄芯７５から出力するものである。また、コンデンサ７３は、発振器７２からの電気信号をため、電磁誘導コイル７４に入力するようになっている。
【００３５】
このような書き込みペン３を用いて前記表示パネル２に書き込みを行うには、例えば、予め前述した通常の表示機能により、前記制御部から走査線５０やデータ線５１に電気信号を出力し、駆動素子７を介して所望の表示を行わせる。そして、その状態で電源を切り、前記の表示の保持性によって表示を保持させる。このような状態のもとで、前記書き込みペン３により、前記表示パネル２上に下線やメモ等を書き込む。
【００３６】
すると、表示パネル２は、書き込み箇所に書き込みペン３の鉄芯７５から磁気信号が書き込み信号として入力され、書き込み箇所となる画素５３（あるいは画素群５４）に設けられたセンサコイル１９（図３参照）がこれを入力する。このようにして磁気信号を入力すると、センサコイル１９は電磁誘導によって誘導電力を発生し、さらにコンデンサ２２を含む共振回路２０で共振することなどによって所定の電流を整流回路２１（整流素子２１ａ）に通じる。
【００３７】
すると、整流回路２１（整流素子２１ａ）ではこの電流を整流し、前記画素５３（あるいは画素群５４）に対応する画素電極８に通じることにより、該画素電極８と共通電極２３との間に所定の電圧を印加する。これにより、前記マイクロカプセル６中の泳動粒子のうちの黒色の粒子は透明基板５側（共通電極２３側）に、また白色粒子は素子基板４側（画素電極８）にそれぞれ泳動する。したがって、前記書き込みペン３で書き込んだ箇所（画素５３または画素群５４）は実質的な表示をなす黒色となり、書き込みペン３による書き込みがなされなかった箇所（画素５３）は、通常の表示機能で表示され保持された状態のままとなる。これにより、本実施形態の表示装置１は、表示を行っている状態のもとで、書き込みペン３によって表示パネル２に直接書き込むことにより、表示状態にある表示面に対して書き込みを行うことができる。
【００３８】
このように本実施形態の表示装置１にあっては、書き込みペン３による電磁誘導によってセンサコイル１９に誘導電力を発生させ、この誘導電力を整流素子２１ａにより整流して表示パネル２に電圧を印加することにより、通常の表示機能で表示状態にある表示面に対し、書き込み表示機能によって書き込みを行うことができる。したがって、この表示装置１を電子ペーパとして用いる場合に、通常の表示機能によって表示を行っている状態のもとで、その表示面上から下線を引いたりメモを加筆するといった書き込みを行うことができ、これにより使い勝手が非常によいものとなる。
【００３９】
また、表示パネル２に電磁誘導用アンテナ６０を備え、この電磁誘導用アンテナ６０によって外部から磁気信号を入力することで誘導電力を発生し、前記表示機能を発揮させるよう構成することにより、電池等による電源を不要にすることができる。したがって、装置全体をより薄厚化し、電子ペーパーとしてフレキシブル性などをより良好に発揮することができる。
また、この電磁誘導用アンテナ６０によって外部から表示データも入力できるよう構成すれば、装置構成をさらに簡略化し、電子ペーパーとしての機能をより高めることができる。
【００４０】
書き込み手段としての書き込みペン３にあっては、発振器７２で発振させて電磁誘導コイル７４から磁気信号（磁束）を書き込み信号として出力し、該書き込み信号を前記表示パネル２の表示面に入力させることにより、前記したように通常の表示機能によって表示を行っている状態のもとで、その表示面上から下線を引いたりメモを加筆するといった書き込みを行うことができる。したがって、電子ペーパーとしての表示パネル２（表示装置１）の使い勝手を高めることができる。
【００４１】
なお、本発明は前記実施形態に限定されることなく、本発明の要旨を逸脱しない範囲で種々の変更を行うことができる。例えば、図６に示す表示パネル２の等価回路図のように、前記共振回路２０に整流素子２１ｂを介して電源回路に接続する配線５５を接続してもよい。このように構成することにより、書き込みペン３によって電源に電力を供給することができ、したがって電池等の電源を不要にすることができる。
【００４２】
また、前記実施形態では、本発明の表示装置として、これを構成する表示素子が電気泳動素子である例を示したが、特に表示の保持性を有するものであれば、電気泳動素子以外の表示素子を用いた表示装置にも適用可能である。例えば、コレステリック液晶を用いた液晶素子からなる表示装置や、酸化還元反応を用いたエレクトロクロミック素子からなる表示装置、さらには、異なる二つの色を有する粒子を反転させることで表示を行う素子からなる表示装置などにも、本発明を適用することができる。
【図面の簡単な説明】
【００４３】
【図１】本発明の表示装置の概略構成図である。
【図２】表示パネルの要部側断面図である。
【図３】表示パネルの等価回路図である。
【図４】センサコイルの形成位置を模式的に示す平面図である。
【図５】（ａ）は書き込みペンの概略構成図、（ｂ）は回路図である。
【図６】表示パネルの等価回路図である。
【符号の説明】
【００４４】
１…表示装置、２…表示パネル、３…書き込みペン（書き込み手段）、４…素子基板（アクティブマトリクス基板）、５…透明基板、６…マイクロカプセル、７…駆動素子、８…画素電極、１９…センサコイル、２０…共振回路、２１…整流回路、２１ａ…整流素子、２３…共通電極、５１…データ線、５３…画素、５４…画素群、６０…電磁誘導用アンテナ、７１…電池（電源）、７２…発振器、７３…コンデンサ、７４…電磁誘導コイル、７６…出力部
【図１】
2008039915.tif 000003
【図２】
2008039915.tif 000004
【図３】
2008039915.tif 000005
【図４】
2008039915.tif 000006
【図５】
2008039915.tif 000007
【図６】
2008039915.tif 000008